【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
被験液と反応し前記被験液の濃度に応じた電位を生じる基体からなる作用電極と、前記被験液と反応し一定の電位を生じる基体からなる参照電極とを前記被験液に浸漬し、両電極間に発生する相対電位差や電流から前記被験液の特性を測定する電気化学式センサにおいて、前記作用電極又は前記参照電極の少なくとも一方は、前記基体と前記被験液との間に媒介して電位発生のために機能する機能膜を前記基体に被覆したものであることを特徴とする電気化学式センサ。
【請求項２】
白金、金、白金黒等の基体からなる作用電極と、銀に塩化銀膜を被覆した基体又は金の基体からなる参照電極とを被験液に浸漬し、両電極間に発生する相対電位差や電流から被験液の特性を測定する電気化学式センサにおいて、前記参照電極は、前記基体と前記被験液との間に媒介して電位発生のために機能する機能膜を前記基体に被覆したものであることを特徴とする電気化学式センサ。
【請求項３】
前記参照電極は、前記銀に塩化銀膜を被覆した基体に、前記機能膜として塩橋保持膜を被覆したものであることを特徴とする請求項２記載の電気化学式センサ。
【請求項４】
前記参照電極は、前記金の基体に、前記機能膜として芳香族系化合物、フッ素系化合物、アルコール系化合物等の内少なくとも１つからなる物質選択的非透過性のプラズマ重合膜を被覆したものであることを特徴とする請求項２記載の電気化学式センサ。
【請求項５】
前記参照電極は、前記金の基体に、前記機能膜として水酸化ナトリウムや水酸化カリウム等の塩基性溶液浸漬膜を被覆したものであることを特徴とする請求項２記載の電気化学式センサ。
【請求項６】
前記作用電極は、前記白金、金、白金黒等の基体に、芳香族系化合物、フッ素系化合物、アルコール系化合物等の内少なくとも１つからなる物質選択的透過性のプラズマ重合膜を被覆したものであることを特徴とする請求項２乃至５のいずれか1項に記載の電気化学式センサ。
【請求項７】
前記作用電極の前記プラズマ重合膜における前記物質選択的透過性が、水素イオンを選択的に透過する性質であることを特徴とする請求項６記載の電気化学式センサ。
【請求項８】
前記作用電極と前記参照電極は、アルカン系ポリマーや環状オレフィン系ポリマーからなる疎水的固定膜を被覆したものであることを特徴とする請求項２乃至７のいずれか1項に記載の電気化学式センサ。
【請求項９】
前記作用電極と前記参照電極とを絶縁し一体的に形成したことを特徴とする請求項２乃至８のいずれか1項に記載の電気化学式センサ。
【請求項１０】
前記塩橋保持膜は、塩化カリウムや塩化ナトリウム等の塩橋を含浸したパーフルオロアルキルスルホン酸膜であることを特徴とする請求項３、６、７、８又は９のいずれか1項に記載の電気化学式センサ。
【請求項１１】
前記塩橋保持膜は、塩化カリウムや塩化ナトリウム等の塩橋を結晶化させた塩橋結晶膜であることを特徴とする請求項３、６、７、８又は９のいずれか1項に記載の電気化学式センサ。
【請求項１２】
前記塩橋は、更に塩化銀を加えた混合物であることを特徴とする請求項１０又は１１記載の電気化学式センサ。
【請求項１３】
白金、金または白金黒の基体からなる作用電極と、銀に塩化銀膜を被覆した基体または金の基体からなる参照電極とを被験液に浸漬し、両電極間に発生する相対電位差や電流から被験液の特性を測定する電気化学式センサにおいて、前記作用電極および前記参照電極の少なくとも一方が、前記被験液との間に媒介して電位発生のために機能する機能膜を前記基体に直接被覆し、前記機能膜を保護し前記基体への被覆を安定化させるための疎水的なアルカン系ポリマーまたは環状オレフィン系ポリマーからなる固定膜を前記機能膜の全表面に直接被覆したものであることを特徴とする電気化学式センサ。
【請求項１４】
前記参照電極が、前記機能膜として塩橋保持膜を前記銀に塩化銀膜を被覆した基体の前記塩化銀膜の全表面に直接被覆し、前記塩橋保持膜を保護し前記基体への被覆を安定化させるための疎水的なアルカン系ポリマーまたは環状オレフィン系ポリマーからなる固定膜を前記塩橋保持膜の全表面に直接被覆したものであり、前記作用電極が、白金、金または白金黒の基体のみからなるものであることを特徴とする請求項１３記載の電気化学式センサ。
【請求項１５】
前記参照電極が、前記機能膜として塩橋保持膜を前記銀に塩化銀膜を被覆した基体の前記塩化銀膜の全表面に直接被覆し、前記塩橋保持膜を保護し前記基体への被覆を安定化させるための疎水的なアルカン系ポリマーまたは環状オレフィン系ポリマーからなる固定膜を前記塩橋保持膜の全表面に直接被覆したものであり、前記作用電極が、前記機能膜として物質選択的透過性のプラズマ重合膜を前記白金、金または白金黒の基体に直接被覆し、前記物質選択的透過性のプラズマ重合膜を保護し前記基体への被覆を安定化させるための疎水的なアルカン系ポリマーまたは環状オレフィン系ポリマーからなる固定膜を前記物質選択的透過性のプラズマ重合膜の全表面に直接被覆したものであることを特徴とする請求項１３記載の電気化学式センサ。
【請求項１６】
前記物質選択的透過性のプラズマ重合膜は、芳香族系化合物、フッ素系化合物およびアルコール系化合物の少なくとも１つをプラズマ成膜したものであり、水素イオンを選択的に透過するものであることを特徴とする請求項１５記載の電気化学式センサ。
【請求項１７】
前記塩橋保持膜は、塩化カリウムまたは塩化ナトリウムの塩橋を含浸したパーフルオロアルキルスルホン酸膜であることを特徴とする請求項１４乃至１６のいずれか１項に記載の電気化学式センサ。
【請求項１８】
前記塩橋保持膜は、塩化カリウムまたは塩化ナトリウムの塩橋を結晶化させた塩橋結晶膜であることを特徴とする請求項１４乃至１６のいずれか１項に記載の電気化学式センサ。
【請求項１９】
前記塩橋は、更に塩化銀を加えた混合物であることを特徴とする請求項１７または１８記載の電気化学式センサ。
【請求項２０】
前記参照電極が、前記機能膜として物質選択的非透過性のプラズマ重合膜を前記白金、金または白金黒の基体に直接被覆し、前記物質選択的非透過性のプラズマ重合膜を保護し前記基体への被覆を安定化させるための疎水的なアルカン系ポリマーまたは環状オレフィン系ポリマーからなる固定膜を前記物質選択的非透過性のプラズマ重合膜の全表面に直接被覆したものであり、前記作用電極が、前記機能膜として物質選択的透過性のプラズマ重合膜を前記白金、金または白金黒の基体に直接被覆し、前記物質選択的透過性のプラズマ重合膜を保護し前記基体への被覆を安定化させるための疎水的なアルカン系ポリマーまたは環状オレフィン系ポリマーからなる固定膜を前記物質選択的透過性のプラズマ重合膜の全表面に直接被覆したものであることを特徴とする請求項１３記載の電気化学式センサ。
【請求項２１】
前記物質選択的非透過性のプラズマ重合膜は、芳香族系化合物をプラズマ成膜したものであることを特徴とする請求項２０記載の電気化学式センサ。
【請求項２２】
前記参照電極が、前記機能膜として水酸化ナトリウムまたは水酸化カリウムの塩基性溶液浸漬膜を前記白金、金または白金黒の基体に直接被覆したものであり、前記作用電極が、前記機能膜として物質選択的透過性のプラズマ重合膜を前記白金、金または白金黒の基体に直接被覆し、前記物質選択的透過性のプラズマ重合膜を保護し前記基体への被覆を安定化させるための疎水的なアルカン系ポリマーまたは環状オレフィン系ポリマーからなる固定膜を前記物質選択的透過性のプラズマ重合膜の全表面に直接被覆したものであることを特徴とする請求項１３記載の電気化学式センサ。
【請求項２３】
前記物質選択的透過性のプラズマ重合膜は、芳香族系化合物、フッ素系化合物およびアルコール系化合物の少なくとも１つをプラズマ成膜したものであり、水素イオンを選択的に透過するものであることを特徴とする請求項２０乃至２２のいずれか１項に記載の電気化学式センサ。
【請求項２４】
前記作用電極と前記参照電極とを絶縁し一体的に形成したことを特徴とする請求項１４乃至２３のいずれか1項に記載の電気化学式センサ。